(57)【特許請求の範囲】
【請求項１】
オブジェクトを画面内に表示する表示部、
ユーザによる前記画面の前面ならびに背面に対する接触を検知する検知部、
前記ユーザにより指示された前記画面内の位置を決定し、当該決定された位置に対応付けられる処理を行う処理部、
前記画面に対する有効面に基づいて、前記画面内に表示される前記オブジェクトの形態を変化させる変化部
を備える情報表示装置であって、
前記処理部は、
（ａ）前記前面に対する接触と、前記背面に対する接触と、がともに検知され、前記前面に対する接触の位置と、前記背面に対する接触の位置と、前記画面内に表示される前記オブジェクトの位置と、が、所定の範囲内にあれば、前記前面と、前記背面と、の両面を前記有効面とし、
（ｂ）前記有効面が前記両面であるときに、前記前面に対する接触は検知されたままであるが、前記背面に対する接触が検知されなくなると、前記前面を前記有効面とし、
（ｃ）前記有効面が前記両面であるときに、前記背面に対する接触は検知されたままであるが、前記前面に対する接触が検知されなくなると、前記背面を前記有効面とし、
（ｄ）前記有効面が前記両面であるときは、前記両面に対して検知された接触の位置のいずれか一方、もしくは、前記両面に対して検知された接触の位置の平均位置を、前記ユーザにより指示された前記画面内の位置として決定し、
（ｅ）前記有効面が前記前面もしくは前記背面であるときは、前記有効面に対して検知された接触の位置を、前記ユーザにより指示された前記画面内の位置として決定する
ことを特徴とする情報表示装置。
【請求項２】
オブジェクトの位置ならびに形態が記憶される記憶部、前記オブジェクトを、画面の前記記憶部に記憶された位置に、前記記憶部に記憶された形態で表示する表示部、
ユーザによる前記画面の前面に対する接触、ならびに前記画面の背面に対する接触を検知する検知部、
所定の条件の成否に基づいて、前記ユーザにより指示された前記画面内の位置を決定し、当該決定された位置に対応付けられる処理を行う処理部、
前記所定の条件の成否に基づいて、前記記憶部に記憶されるオブジェクトの形態を変化させる変化部
を備える情報表示装置であって、
前記所定の条件は、前記前面に対する接触と、前記背面に対する接触と、がともに検知され、前記前面に対する接触の位置と、前記背面に対する接触の位置と、前記記憶部に記憶される前記オブジェクトの位置と、が、所定の範囲内にある場合に満たされ、
前記変化部は、
（１）前記所定の条件が満たされていれば、前記オブジェクトの形態を第１のサイズとし、
（２）前記所定の条件が満たされていなければ、前記オブジェクトの形態を第２のサイズとし、
前記第１のサイズは、前記第２のサイズより大きく、
前記処理部は、
（ａ）前記所定の条件が満たされている間は、当該前面に対する接触の位置と、当該背面に対する接触の位置と、のいずれか一方、もしくは、平均位置を、前記ユーザにより指示された前記画面内の位置として決定し、
（ｂ）前記所定の条件が満たされた後に前記背面に対する接触が検知されなくなると、前記前面を接触が検知できる有効面とし、前記前面に対する接触の位置を、前記ユーザにより指示された前記画面内の位置として決定し、
（ｃ）前記所定の条件が満たされた後に前記前面に対する接触が検知されなくなると、前記背面を接触が検知できる有効面とし、前記背面に対する接触の位置を、前記ユーザにより指示された前記画面内の位置として決定し、
前記変化部は、
（１）前記所定の条件が満たされていれば、前記オブジェクトの形態を第１のサイズとし、
（２）前記所定の条件が満たされておらず、前記処理部が、前記前面に対する接触の位置を、前記ユーザにより指示された前記画面内の位置として決定している間は、前記オブジェクトの形態を第２のサイズとし、
（３）前記所定の条件が満たされておらず、前記処理部が、前記背面に対する接触の位置を、前記ユーザにより指示された前記画面内の位置として決定している間は、前記オブジェクトの形態を第３のサイズとし、
前記第１のサイズは、前記第２のサイズより大きく、
前記第２のサイズは、前記第３のサイズより大きい
ことを特徴とする情報表示装置。
【請求項３】
オブジェクトの位置ならびに形態が記憶される記憶部、前記オブジェクトを、画面の前記記憶部に記憶された位置に、前記記憶部に記憶された形態で表示する表示部、
ユーザによる前記画面の前面に対する接触、ならびに前記画面の背面に対する接触を検知する検知部、
所定の条件の成否に基づいて、前記ユーザにより指示された前記画面内の位置を決定し、当該決定された位置に対応付けられる処理を行う処理部、
前記所定の条件の成否に基づいて、前記記憶部に記憶されるオブジェクトの形態を変化させる変化部
を備える情報表示装置であって、
前記所定の条件は、前記前面に対する接触と、前記背面に対する接触と、がともに検知され、前記前面に対する接触の位置と、前記背面に対する接触の位置と、前記記憶部に記憶される前記オブジェクトの位置と、が、所定の範囲内にある場合に満たされ、
前記変化部は、
（１）前記所定の条件が満たされていれば、前記オブジェクトの形態を第１のサイズとし、
（２）前記所定の条件が満たされていなければ、前記オブジェクトの形態を第２のサイズとし、
前記第１のサイズは、前記第２のサイズより大きく、
前記処理部は、
（ａ）前記所定の条件が満たされている間は、当該前面に対する接触の位置と、当該背面に対する接触の位置と、のいずれか一方、もしくは、平均位置を、前記ユーザにより指示された前記画面内の位置として決定し、
（ｂ）前記所定の条件が満たされた後に前記背面に対する接触が検知されなくなると、前記前面を接触が検知できる有効面とし、前記前面に対する接触の位置を、前記ユーザにより指示された前記画面内の位置として決定し、
（ｃ）前記所定の条件が満たされた後に前記前面に対する接触が検知されなくなると、前記背面を接触が検知できる有効面とし、前記背面に対する接触の位置を、前記ユーザにより指示された前記画面内の位置として決定し、前記変化部は、
（１）前記所定の条件が満たされていれば、前記オブジェクトの形態を第１の色彩とし、
（２）前記所定の条件が満たされておらず、前記処理部が、前記前面に対する接触の位置を、前記ユーザにより指示された前記画面内の位置として決定している間は、前記オブジェクトの形態を第２の色彩とし、
（３）前記所定の条件が満たされておらず、前記処理部が、前記背面に対する接触の位置を、前記ユーザにより指示された前記画面内の位置として決定している間は、前記オブジェクトの形態を第３の色彩とする
ことを特徴とする情報表示装置。
【請求項４】
情報表示装置が実行する情報表示方法であって、前記情報表示装置は、表示部、検知部、処理部、変化部を有し、
表示部が、オブジェクトを画面内に表示する表示工程、
検知部が、ユーザによる前記画面の前面ならびに背面に対する接触を検知する検知工程、
処理部が、前記ユーザにより指示された前記画面内の位置を決定し、当該決定された位置に対応付けられる処理を行う処理工程、
変化部が、前記画面に対する有効面に基づいて、前記画面内に表示される前記オブジェクトの形態を変化させる変化工程、
を備え、
前記処理工程では、処理部が、
（ａ）前記前面に対する接触と、前記背面に対する接触と、がともに検知され、前記前面に対する接触の位置と、前記背面に対する接触の位置と、前記画面内に表示される前記オブジェクトの位置と、が、所定の範囲内にあれば、前記前面と、前記背面と、の両面を前記有効面とし、
（ｂ）前記有効面が前記両面であるときに、前記前面に対する接触は検知されたままであるが、前記背面に対する接触が検知されなくなると、前記前面を前記有効面とし、
（ｃ）前記有効面が前記両面であるときに、前記背面に対する接触は検知されたままであるが、前記前面に対する接触が検知されなくなると、前記背面を前記有効面とし、
（ｄ）前記有効面が前記両面であるときは、前記両面に対して検知された接触の位置のいずれか一方、もしくは、前記両面に対して検知された接触の位置の平均位置を、前記ユーザにより指示された前記画面内の位置として決定し、
（ｅ）前記有効面が前記前面もしくは前記背面であるときは、前記有効面に対して検知された接触の位置を、前記ユーザにより指示された前記画面内の位置として決定する
ことを特徴とする情報表示方法。
【請求項５】
コンピュータを、情報表示装置として機能させるプログラムであって、前記プログラムは、前記コンピュータを、
オブジェクトを画面内に表示する表示部、
ユーザによる前記画面の前面ならびに背面に対する接触を検知する検知部、
前記ユーザにより指示された前記画面内の位置を決定し、当該決定された位置に対応付けられる処理を行う処理部、
前記画面に対する有効面に基づいて、前記画面内に表示される前記オブジェクトの形態を変化させる変化部、として機能させ、
前記処理部は、
（ａ）前記前面に対する接触と、前記背面に対する接触と、がともに検知され、前記前面に対する接触の位置と、前記背面に対する接触の位置と、前記画面内に表示される前記オブジェクトの位置と、が、所定の範囲内にあれば、前記前面と、前記背面と、の両面を前記有効面とし、
（ｂ）前記有効面が前記両面であるときに、前記前面に対する接触は検知されたままであるが、前記背面に対する接触が検知されなくなると、前記前面を前記有効面とし、
（ｃ）前記有効面が前記両面であるときに、前記背面に対する接触は検知されたままであるが、前記前面に対する接触が検知されなくなると、前記背面を前記有効面とし、
（ｄ）前記有効面が前記両面であるときは、前記両面に対して検知された接触の位置のいずれか一方、もしくは、前記両面に対して検知された接触の位置の平均位置を、前記ユーザにより指示された前記画面内の位置として決定し、
（ｅ）前記有効面が前記前面もしくは前記背面であるときは、前記有効面に対して検知された接触の位置を、前記ユーザにより指示された前記画面内の位置として決定する
ように機能させることを特徴とするプログラム。
【発明の詳細な説明】
【技術分野】
【０００１】
本発明は、画面の両面にタッチパネルを配置した情報表示装置において、両面のタッチパネルに対する接触動作により、画面上のオブジェクトの移動操作性を向上することができる情報表示装置、情報表示方法、ならびにこれらをコンピュータにて実現するプログラムに関する。
【背景技術】
【０００２】
タッチパネルは、携帯電話装置、ＰＤＡ、携帯型ゲーム装置など多方面の情報表示装置で使用されている。表示画面上に表示されたオブジェクトを移動する場合には、オブジェクトに指等を接触させて移動させることで、オブジェクトを所望の位置に移動させることができる。
例えば、特許文献１には、ゲーム装置において、プレイヤがアイテムをドラッグするタッチパネルのタッチ操作を行うことが開示されている。
【先行技術文献】
【特許文献】
【０００３】
【特許文献１】特開２００９−９３６８１号公報
【発明の概要】
【発明が解決しようとする課題】
【０００４】
ユーザが指等でタッチパネル上のオブジェクトに接触して、オブジェクトを移動操作することは、直感的操作でありユーザの操作性を向上させる一方、オブジェクトを移動させた時に、移動対象のオブジェクトと移動先のオブジェクトに指が重なり見にくくなることがあり、オブジェクトが視認しやすい画面表示が要望されている。
【０００５】
本発明は、画面の両面にタッチパネルを配置した情報表示装置において、両面のタッチパネルに対する接触動作により、画面上のオブジェクトの移動操作性を向上することができる情報表示装置、情報表示方法、ならびにこれらをコンピュータにて実現するプログラムを提供することを目的とする。
【課題を解決するための手段】
【０００６】
上記目的を達成するため、本発明の第１の観点に係る情報表示装置は、記憶部、表示部、検知部、処理部、変化部と、を備え、以下のように構成する。
【０００７】
記憶部には、オブジェクトの位置ならびに形態が記憶される。
すなわち、記憶部には、画面に表示されるオブジェクトの位置が２次元座標上のどの位置にあるかが座標情報として記憶される。例えば、記憶部には、ゲームにおけるキャラクタの位置や携帯端末機で表示されるごみ箱の位置などが座標情報として記憶されている。
また、記憶部には、オブジェクトの形態、例えば、画面に表示されるキャラクタの形態や三角形や四角形などの表形の形態などが、オブジェクトの位置情報に紐付けられて記憶されている。
なお、記憶部の情報は、後述する検知部において検知された接触情報に基づいてオブジェクトの位置が変化した場合、または後述する変化部によりオブジェクトの形態の変化があった場合、には新たな情報に更新される。
【０００８】
表示部は、オブジェクトを、記憶部に記憶された座標位置に、かつ記憶部に記憶された形態で、画面に表示する。
画像を表示する装置としては、ＬＣＤ（Liquid Crystal Display)、ＣＲＴ(Cathode Ray Tube)等が用いられる。
【０００９】
検知部は、ユーザによる画面の前面に対する接触、ならびに画面の背面に対する接触を検知する。
すなわち、検知部は、画面の前面に設けられたタッチパネル、ならびに背面に設けられたタッチパネルに対し、ユーザの指等による接触があったか否かを検知し、接触位置を座標位置として認識する。
【００１０】
処理部は、所定の条件の成否に基づいて、ユーザにより指示された画面内の位置を決定し、当該決定された位置に対応付けられる処理を行う。
すなわち、処理部は、後述する所定の条件が成立するか否かに基づいて、ユーザが接触している面が、前面または背面あるいは両面のいずれかであるかを決定し、当該決定された面のどの位置が指示位置であるかを決定する。そして、決定された位置に応じた処理を行う。
例えば、携帯端末機において、所定の条件が成立した場合には、両面のタッチパネルでの接触があったと認識し、前面または背面または両者の平均値を接触した位置として特定する。両面が接触面として判定され、その後、前面の接触が解除された場合には、背面の接触のみが検知されて、背面でのユーザの指等の接触移動に応じた処理を行う。
【００１１】
変化部は、所定の条件の成否に基づいて、記憶部に記憶されるオブジェクトの形態を変化させる。
すなわち、変化部は、例えば、タッチパネル上の前面と背面の両面の接触を検知した場合において、オブジェクトと両面の接触位置が一定の範囲内であることが検知された場合には、ユーザによって特定されたオブジェクトの形態を大きくする等の変化をさせる。
【００１２】
上記情報表示装置において、所定の条件は、前面に対する接触と、背面に対する接触と、がともに検知され、前面に対する接触の位置と、背面に対する接触の位置と、記憶部に記憶されるオブジェクトの位置と、が、所定の範囲内にある場合に満たされる。
すなわち、所定の条件は、画面の前面におけるタッチパネル上と背面におけるタッチパネル上での接触が両方とも検知され、前面に対する接触の位置と背面に対する接触の位置が、オブジェクトのある位置との関係において、所定の範囲内にある場合に満たされる。
【００１３】
上記情報表示装置において、処理部は、所定の条件が満たされている間は、当該前面に対する接触の位置と、当該背面に対する接触の位置と、のいずれか一方、もしくは、平均位置を、ユーザにより指示された画面内の位置として決定する。
すなわち、ユーザの指等が両面のタッチパネルに接触し、かつ オブジェクトのある位置の近傍に接触している場合には、タッチパネルでの接触位置は、前面または背面あるいは両者の平均位置として特定される。
【００１４】
上記情報表示装置において、処理部は、所定の条件が満たされた後に背面に対する接触が検知されなくなると、前面に対する接触の位置を、ユーザにより指示された画面内の位置として決定する。
すなわち、ユーザの指等が両面のタッチパネルに接触し所定の条件が満たされた後に背面のタッチパネルの接触が検知されなくなると、前面に対する接触の位置を、ユーザにより指示された画面内の位置として決定する。
【００１５】
上記情報表示装置において、処理部は、所定の条件が満たされた後に前面に対する接触が検知されなくなると、背面に対する接触の位置を、ユーザにより指示された画面内の位置として決定する。
すなわち、ユーザの指等が両面のタッチパネルに接触し所定の条件が満たされた後に、前面のタッチパネルの接触が検知されなくなると、背面のタッチパネルへの接触位置が、ユーザが特定している位置として決定される。
【００１６】
本発明によれば、所定の条件が満たされることにより、オブジェクトの形態を変化させるようにしたので、例えば指等でオブジェクトを両面タッチパネルで挟むように接触したときに、オブジェクトを大きくする処理を行うことができ、指等によりオブジェクトが隠れて見にくくなることを防止することができる。
また、ユーザがオブジェクトの移動操作を行う際に、前面または背面のタッチパネルを使い分けて移動処理を行うことで、オブジェクトの視認性を向上することができる。
【００１７】
また、本発明の情報表示装置において、変化部は、（１）所定の条件が満たされていれば、オブジェクトの形態を第１のサイズとし、（２）所定の条件が満たされていなければ、オブジェクトの形態を第２のサイズとし、第１のサイズは、第２のサイズより大きい。
【００１８】
すなわち、変化部は、指等が両面タッチパネルに接触したとき、タッチパネルの接触位置と表示されたオブジェクトの位置が所定範囲内にあれば、オブジェクトの形態を大きく、そうでなければ、オブジェクトの形態を小さくなるように変化させる。
【００１９】
本発明によれば、情報表示装置は、両面タッチパネルを挟んで指がオブジェクトと接触している場合に、オブジェクトを大きく表示することで、ユーザのオブジェクトに対する視認性を向上させることができる。
【００２０】
また、本発明の情報表示装置において、変化部は、（１）所定の条件が満たされていれば、オブジェクトの形態を第１のサイズとし、（２）所定の条件が満たされておらず、処理部が、前面に対する接触の位置を、ユーザにより指示された画面内の位置として決定している間は、オブジェクトの形態を第２のサイズとし、（３）所定の条件が満たされておらず、処理部が、背面に対する接触の位置を、ユーザにより指示された画面内の位置として決定している間は、オブジェクトの形態を第３のサイズとし、第１のサイズは、第２のサイズより大きく、第２のサイズは、第３のサイズより大きい。
【００２１】
すなわち、変化部は、両面タッチパネルでオブジェクトを挟み込むように指が接触している場合には、オブジェクトの大きさを大とし、その後前面タッチパネルのみでオブジェクトに接触し、前面のタッチパネルが指示面となっている場合には、オブジェクトの大きさを中とする。また、両面タッチパネルでオブジェクトを挟み込むように指で接触した後、背面タッチパネルのみでオブジェクトに接触し、背面のタッチパネルが指示面となっている場合には、オブジェクトの大きさを小とする。
【００２２】
本発明によれば、ユーザの指等が両面のタッチパネルでオブジェクトに接触している場合には、オブジェクトが一番見にくいので、オブジェクトの大きさを一番大きくする。
また、前面タッチパネルのみでオブジェクトに接触している場合には、オブジェクトの大きさを中程度とし、背面タッチパネルのみでオブジェクトに接触している場合には、一番オブジェクトが見やすいので、オブジェクトの大きさを小とする。
このように両面にタッチパネルを有する情報表示装置において、タッチパネルへの接触動作に応じて指示面を決定して、画面上のオブジェクトの大きさを変更する構成としたことで、接触操作に応じたオブジェクトの視認性を高めることができる。
【００２３】
また、本発明の情報表示装置において、変化部は、（１）所定の条件が満たされていれば、オブジェクトの形態を第１の色彩とし、（２）所定の条件が満たされておらず、処理部が、前面に対する接触の位置を、ユーザにより指示された画面内の位置として決定している間は、オブジェクトの形態を第２の色彩とし、（３）所定の条件が満たされておらず、処理部が、背面に対する接触の位置を、ユーザにより指示された画面内の位置として決定している間は、オブジェクトの形態を第３の色彩とする。
【００２４】
本発明によれば、両面タッチパネルへのユーザの指等の接触状態に応じて指示される面を決定し、決定された指示面に応じて、オブジェクトの色彩を段階的に変化させることができる。このように指示面に応じてオブジェクトの色彩を変化させることにより、オブジェクトの位置を確認しやすくすることができる。
【００２５】
本発明のその他の観点に係る情報表示方法は、情報表示装置が実行する情報表示方法であって、情報表示装置は、記憶部、表示部、検知部、処理部、変化部を有し、表示工程、検知工程、処理工程、変化工程、を備え、以下のように構成する。
【００２６】
記憶部には、オブジェクトの位置ならびに形態が記憶され、表示工程では、表示部が、オブジェクトを、画面の記憶部に記憶された位置に、記憶部に記憶された形態で表示し、検知工程では、検知部が、ユーザによる画面の前面に対する接触、ならびに画面の背面に対する接触を検知し、処理工程では、処理部が、所定の条件の成否に基づいて、ユーザにより指示された画面内の位置を決定し、当該決定された位置に対応付けられる処理を行い、変化工程では、変化部が、所定の条件の成否に基づいて、記憶部に記憶されるオブジェクトの形態を変化させる。
【００２７】
上記情報表示方法において、所定の条件は、前面に対する接触と、背面に対する接触と、がともに検知され、前面に対する接触の位置と、背面に対する接触の位置と、記憶部に記憶されるオブジェクトの位置と、が、所定の範囲内にある場合に満たされる。
【００２８】
上記情報表示方法において、処理工程は、処理部が、（ａ）所定の条件が満たされている間は、当該前面に対する接触の位置と、当該背面に対する接触の位置と、のいずれか一方、もしくは、平均位置を、ユーザにより指示された画面内の位置として決定し、（ｂ）所定の条件が満たされた後に背面に対する接触が検知されなくなると、前面に対する接触の位置を、ユーザにより指示された画面内の位置として決定し、（ｃ）所定の条件が満たされた後に前面に対する接触が検知されなくなると、背面に対する接触の位置を、ユーザにより指示された画面内の位置として決定する。
【００２９】
本発明のその他の観点に係るプログラムは、コンピュータを情報表示装置として機能させ、コンピュータに情報表示方法を実行させるように構成し、情報表示装置は、記憶部、表示部、検知部、処理部、変化部を備える。
【００３０】
記憶部は、オブジェクトの位置ならびに形態を記憶し、表示部は、オブジェクトを、画面の記憶部に記憶された位置に、記憶部に記憶された形態で表示し、検知部は、ユーザによる画面の前面に対する接触、ならびに画面の背面に対する接触を検知し、処理部は、所定の条件の成否に基づいて、ユーザにより指示された画面内の位置を決定し、当該決定された位置に対応付けられる処理を行い、変化部は、所定の条件の成否に基づいて、記憶部に記憶されるオブジェクトの形態を変化させる。
【００３１】
上記プログラムにおいて、所定の条件は、前面に対する接触と、背面に対する接触と、がともに検知され、前面に対する接触の位置と、背面に対する接触の位置と、記憶部に記憶されるオブジェクトの位置と、が、所定の範囲内にある場合に満たされる。
【００３２】
上記プログラムにおいて、処理部は、（ａ）所定の条件が満たされている間は、当該前面に対する接触の位置と、当該背面に対する接触の位置と、のいずれか一方、もしくは、平均位置を、ユーザにより指示された画面内の位置として決定し、（ｂ）所定の条件が満たされた後に背面に対する接触が検知されなくなると、前面に対する接触の位置を、ユーザにより指示された画面内の位置として決定し、（ｃ）所定の条件が満たされた後に前面に対する接触が検知されなくなると、背面に対する接触の位置を、ユーザにより指示された画面内の位置として決定する。
【００３３】
また、本発明のプログラムは、コンパクトディスク、フレキシブルディスク、ハードディスク、光磁気ディスク、ディジタルビデオディスク、磁気テープ、半導体メモリ等のコンピュータ読取可能な情報記憶媒体に記憶することができる。
【００３４】
上記プログラムは、プログラムが実行されるコンピュータとは独立して、コンピュータ通信網を介して配布・販売することができる。また、上記情報記憶媒体は、コンピュータとは独立して配布・販売することができる。
【発明の効果】
【００３５】
本発明は、画面の両面にタッチパネルを配置した情報表示装置において、両面のタッチパネルに対する接触動作により、画面上のオブジェクトの移動操作性を向上することができる情報表示装置、情報表示方法、ならびにこれらをコンピュータにて実現するプログラムを提供することができる。
【図面の簡単な説明】
【００３６】
【図１】本実施形態に係る情報表示装置が実現される典型的な携帯型端末機の概要構成を示す図である。
【図２】本実施形態に係る携帯型端末機の機能的構成を示す図である。
【図３】本実施形態に係る携帯型端末機の記憶部内のデータ構成の例を示す図である。
【図４】本実施形態に係る携帯型端末機において、画面上に図示されたオブジェクトを移動させる様子を概念的に示した図である。
【図５】本実施形態において、特定された指示面とオブジェクトの大きさとの関連を示す図である。
【図６】本実施形態において、特定された指示面とオブジェクトの色彩との関係を示す図である。
【図７】本実施形態において、前回の接触状態が、タッチパネルの前面又は背面のどちらか一方の場合に、前回の接触状態と今回の接触状態により、直前のタッチパネルの指示面が現在どのように変化するのかを示すための図である。
【図８】本実施形態において、前回の接触状態が、タッチパネルの両面である場合に、前回の接触状態と今回の接触状態により、直前のタッチパネルの指示面が現在どのように変化するのかを示すための図である。
【図９】本実施形態の情報表示処理の制御の流れを示すフローチャートである。
【図１０】本実施形態において、接触面、所定範囲の条件、特定された指示面により、オブジェクトの大きさがどのように変化するかを、検知時間に沿って示した図である。
【図１１】本実施形態の情報表示処理装置において、タッチパネルの前面が指示面である場合のオブジェクトの形態を示す概念図である。
【図１２】本実施形態の情報表示処理装置において、タッチパネルの両面を操作して、オブジェクトを挟み込んだ場合のオブジェクトの形態を示す概念図である。
【図１３】本実施形態の情報表示処理装置において、タッチパネルの背面が指示面である場合のオブジェクトの形態を示す概念図である。
【発明を実施するための形態】
【００３７】
以下に本発明の実施形態を説明する。以下では、理解を容易にするため、ゲーム用の情報処理装置を利用して本発明が実現される実施形態を説明するが、以下に説明する実施形態は説明のためのものであり、本願発明の範囲を制限するものではない。したがって、当業者であればこれらの各要素を均等なものに置換した実施形態を採用することが可能であるが、これらの実施形態も本発明の範囲に含まれる。
【００３８】
（実施形態１）
図１は、本発明の実施の形態に係る情報表示置が実現される典型的な携帯型端末機の概要構成を示す模式図である。
【００３９】
携帯型端末機１００は、無線通信部１０１と、通信コントローラ１０２と、サウンドアンプ１０３と、スピーカ１０４と、操作キー１０５と、表示部１０６と、第１のタッチパネル１０７と、第２のタッチパネル１０８と、傾きセンサ１０９と、制御部１５０と、を備える。
なお、携帯型端末機の例としては、携帯型ゲーム装置、ＰＤＡなどがある。
【００４０】
無線通信部１０１は、他の携帯型端末機の無線通信部との間で、無線通信を行うユニットであり、携帯型端末機１００に内蔵されたアンテナ（図示せず）を介して所定のデータを送受信する。なお、無線通信部１０１は、所定のアクセスポイントとの間で、無線通信を行うこともできる。また、無線通信部１０１には、固有のＭＡＣ（Media Access Control）アドレスが付与されている。
【００４１】
通信コントローラ１０２は、無線通信部１０１を制御し、所定のプロトコルに従って、制御部１５０と他の携帯型端末機の制御部との間で行われる無線通信の仲立ちをする。また、携帯型端末機１００を、近傍の無線アクセスポイント等を介してインターネットに接続する場合には、無線ＬＡＮ（Local Area Network）に準拠したプロトコルに従って、制御部１５０と無線アクセスポイント等との間で行われる無線通信の仲立ちをする。
【００４２】
サウンドアンプ１０３は、制御部１５０で生成された音声信号を増幅し、スピーカ１０４に供給する。また、スピーカ１０４は、例えば、ステレオスピーカ等からなり、サウンドアンプ１０３で増幅された音声信号に従って、所定の効果音や楽曲音、音声等を出力する。
【００４３】
操作キー１０５は、携帯型端末機１００に適宜配置されたキースイッチ等からなり、操作にしたがって携帯型端末機１００のオンオフやマナーモード変更等の所定の指示入力を受け付ける。
【００４４】
画面１０６は、ＬＣＤ等からなり、後述するＬＣＤコントローラ１５６の制御によって、所定の選択ボタン等を適宜表示する。また、画面１０６は、ユーザ等がタッチパネル１０７に接触することで選択指示を入力するのに必要な選択ボタン（アイコン）等を表示する。
【００４５】
第１のタッチパネル１０７は、画面１０６の前面に重ねて配置され、タッチペンやユーザの指による入力を受け付ける。第２のタッチパネル１０８は、画面１０６の背面に重ねて配置されている。第１のタッチパネル１０７及び第２のタッチパネル１０８は、例えば、感圧式のタッチセンサパネルからなり、タッチペン等の圧力を検知し、接触等のタッチ操作およびその位置（タッチ位置）等を検出する。なお、タッチパネル１０７は、例えば、静電容量の変化からユーザの指等の接触を検知・検出するものであってもよい。
【００４６】
また、図１に示す制御部１５０は、ＣＰＵ（Central Processing Unit）１５１と、画像処理部１５２と、音声処理部１５３と、ＲＯＭ（Read Only Memory）１５４と、ＲＡＭ（Random Access Memory）１５５と、ＬＣＤコントローラ１５６と、タッチパネルコントローラ１５７と、を備える。
【００４７】
ＣＰＵ  １５１は、携帯型端末機１００の各構成要素と接続されており、携帯型端末機１００全体の動作を制御する。また、ＣＰＵ  １５１は、携帯型端末機１００の各構成要素と制御信号やデータのやりとりを行う。
【００４８】
画像処理部１５２は、例えば、ＲＯＭ  １５４から読み出された画像データや、ＣＰＵ  １５１で処理された画像データを加工処理した後、これらをＲＡＭ  １５５に記憶させる。なお、画像処理部１５２から画像データ等を、直接画面１０６に出力することも可能である。
【００４９】
音声処理部１５３は、例えば、ＲＯＭ  １５４から読み出された音声データや、ＣＰＵ１５１で処理された楽曲データを加工処理した後、これらをＲＡＭ  １５５に記憶させる。なお、音声処理部１５３から音声データ等を、直接サウンドアンプ１０３に出力することも可能である。
【００５０】
ＲＯＭ  １５４は、例えば、画面１０６に表示された項目等の選択を行うのに必要な制御プログラムやデータ等を記憶しており、これらをＣＰＵ  １５１、ＲＡＭ  １５５などに出力する。
【００５１】
ＲＡＭ  １５５は、画像処理部１５２で加工された表示用の画像データや、ＣＰＵ  １５１がプログラムに従った各種処理を実行するためのワークデータ等を記憶しており、これらをＣＰＵ  １５１や画面１０６等に出力する。
【００５２】
ＬＣＤコントローラ１５６は、画面１０６を制御し、所定の表示用画像を表示させる。例えば、ＬＣＤコントローラ１５６は、ＲＡＭ  １５５に記憶された画像データを所定の同期タイミングで表示信号に変換し、画面１０６に出力する。また、ＬＣＤコントローラ１５６は、画面１０６に所定の選択ボタン等を表示させる。
【００５３】
タッチパネルコントローラ１５７は、タッチペンやユーザの指による第１のタッチパネル１０７及び第２のタッチパネル１０８への接触（タッチ操作）を検知・検出する。例えば、画面１０６に所定の選択ボタン等が表示されている状態で、第１のタッチパネル１０７への接触や解放（離れること）の検知及び、それらの位置を検出する。
【００５４】
図２は、本実施形態の１つに係る情報表示装置の機能的構成を示す説明図である。
記憶部２０３には、オブジェクトの位置と形態が記憶されている。
図３は、オブジェクトの座標位置と形態をオブジェクト毎に示すテーブル３００を示す図である。記憶部２０３の記憶領域には、テーブル３００に示すように、本実施形態におけるオブジェクトＡ〜Ｅについて、それぞれの座標位置と、形態が記憶されている。
記憶部２０３の記憶項目は、オブジェクトの種類（３０１）、オブジェクトの位置（３０２）、オブジェクトの形状（３０３）、オブジェクトの大きさ（３０４）から構成されている。
【００５５】
図３においては、オブジェクトＡは、（Ｘ１，Ｙ１）の位置に○形状として、オブジェクトＢは、（Ｘ２，Ｙ２）の位置に□形状として、オブジェクトＣは、（Ｘ３，Ｙ３）の位置に△形状として、オブジェクトＤは、（Ｘ４，Ｙ４）の位置に◇形状として、オブジェクトＥは、（Ｘ５，Ｙ５）の位置に☆形状として、それぞれ記憶されている。
さらに、オブジェクトＡ〜Ｅのオブジェクトの大きさ（３０４）の項目には、予めデフォルトとして記憶されたオブジェクトの大きさが記憶され、変化部２０７の変化に応じて大きさが書き換えられる。本図では、デフォルトの大きさとしては「中」と記憶され、オブジェクトＢが「大」と書き換えられた状態を示している。
尚、ＲＡＭ  １５５が、記憶部２０３として機能する。
【００５６】
図３の記憶項目として「オブジェクトの大きさ」を変化されるオブジェクトの形態の項目として挙げたが、「オブジェクトの色彩」等他の形態項目を設定してもよい。
【００５７】
表示部２０４は、記憶部２０３に記憶されたオブジェクトの情報に基づき、記憶された座標位置に記憶された形状を表示する。
例えば、図４に示すように、記憶部２０３に記憶された情報に基づき、画面１０６には、オブジェクトＡを（Ｘ１，Ｙ１）の位置に、○形状として表示し、オブジェクトＢを（Ｘ２，Ｙ２）の位置に、□形状として表示される。オブジェクトの大きさは、オブジェクトＡ及びＢともに、デフォルトの大きさとなっている。
画像処理部１５２、ＬＣＤコントローラ１５６等が表示部２０４として機能する。
【００５８】
検知部２０５は、画面１０６の前面に配置される第１のタッチパネル１０７及び背面に配置される第２のタッチパネル１０８に接触があったか否かを検知する。
例えば、図４に示すように、オブジェクトＡをオブジェクトＢの方向へ向かって、指で前面の第１のタッチパネル１０７上を移動させる。
すると、検知部２０５は、例えば図１０に示すように時間の経過とともに、オブジェクトＡの座標位置を検知して、その都度、記憶部２０３の値を更新する。
本実施形態においては、オブジェクトＡを指などを使用してオブジェクトＢへ向かって移動させると、オブジェクトＡの座標は、時間の経過とともに、（１０，３０）、（１５，３０）、（２０，３０）、（２８，３０）と変化し、その変化を検知部２０５は検知して、記憶部２０３のオブジェクトの位置の値を更新していく。詳細は、後述する。
なお、 タッチパネルコントローラ１５７及びＣＰＵ  １５１が検知部２０５として、機能する。
【００５９】
処理部２０６は、所定の条件の成否に基づいて、ユーザにより指示された画面内の位置を決定して、決定した位置に対応付けられた処理を行う。
ここで、所定の条件とは、画面の前面の第１のタッチパネル１０７に対する接触と、背面の第２のタッチパネル１０８に対する接触が、ともに検知され、かつ前面に対する接触の位置と背面に対する接触の位置と、記憶部２０３に記憶されたオブジェクトの位置とが所定の範囲内であることをいう。
【００６０】
所定の条件は、例えば、前面の第１のタッチパネル１０７に接触した親指と、背面の第２のタッチパネル１０８に接触した人差し指と、表示されるオブジェクトの位置が所定の範囲内にある場合をいう。より具体的には、あるオブジェクトを２つの指で、画面の前面と背面とで挟み込んだ状態をいう。
このような条件が整えば、後述するように、オブジェクトの形態を変化、例えばオブジェクトを大きく表示する等の処理が行われる。
【００６１】
所定の範囲内は、任意の範囲で決定することができる。例えば、第１のタッチパネル１０７に接触した指と、第２のタッチパネル１０８に接触した指と、あるオブジェクトの位置とが、直径５mmの円の中に包含されている場合などである。
【００６２】
また、処理部２０６では、所定の条件が満たされるか否かによって、ユーザに指示されるタッチパネルの面と位置を決定する処理を行う。
すなわち、所定の条件が満たされている場合、例えば、前面の第１のタッチパネル１０７に接触した親指と、背面の第２のタッチパネル１０８に接触した人差し指と、表示されるオブジェクトの位置が所定の範囲内にある場合、処理部２０６は、前面の第１のタッチパネル１０７に対する接触の位置か、背面の第２のタッチパネル１０８かのどちらか一方か、両位置の平均位置を指示された画面内の位置として決定する。
この場合、両面のタッチパネルが、指示受け付け可能な有効面として機能することになる。
【００６３】
処理部２０６は、所定の条件が満たされた後に、背面の第２のタッチパネル１０８に対する接触が検知されなくなると、前面の第１のタッチパネル１０７に対する接触の位置を、ユーザにより指示された画面内の位置として特定する。
すなわち、前面と背面のタッチパネルの双方に指が接触した後、背面の第２のタッチパネル１０８に対する接触が、検知部２０５により検知されなくなると、前面の第１のタッチパネル１０７のみに指が接触している状態となり、前面の第１のタッチパネル１０７の指の接触位置が、ユーザによる指示位置として特定される。
この場合、前面のタッチパネルが、指示受け付け可能な有効面として機能することになる。従って、第１のタッチパネル１０７のみで指示された内容が有効な指示として処理され、第２のタッチパネル１０８で指示された内容は入力されないことになる。
【００６４】
また、処理部２０６は、所定の条件が満たされた後に、前面の第１のタッチパネル１０７に対する接触が検知されなくなると、背面の第２のタッチパネル１０８に対する接触の位置を、ユーザにより指示された画面内の位置として特定する。
すなわち、前面と背面のタッチパネルの双方に指が接触した後、前面の第１のタッチパネル１０７に対する接触が、検知部２０５により検知されなくなると、背面の第２のタッチパネル１０８のみに指が接触している状態となり、背面の第２のタッチパネル１０８の指の接触位置が、ユーザによる指示位置として特定される。
この場合、背面のタッチパネルが、指示受け付け可能な有効面として機能することになる。従って、第２のタッチパネル１０８のみで指示された内容が有効な指示として処理され、第１のタッチパネル１０７で指示された内容は入力されないことになる。
【００６５】
変化部２０７は、所定の条件の成否に基づいて、記憶部２０３に記憶されるオブジェクトの形態を変化させる。
所定の条件は、上述したように、典型的には、両面のタッチパネルに指が接触していて、画面に表示されるオブジェクトが接触している指の近くに存在する場合をいう。
【００６６】
特定される指示面に応じた変化部２０７の処理を、図５及び図６を参照して説明する。
ユーザの指示位置は、所定条件が成立した場合には、前面か背面のタッチパネルあるいは、その平均値と決定されるので、特定される指示面はタッチパネルの「両面」とする。
また、所定の条件が成立した後、背面の接触が離れたときには、前面が指示面となるので、このときの指示面はタッチパネルの「前面」とする。
所定の条件が成立した後、前面の接触が離れたときには、背面が指示面となるので、このときの指示面はタッチパネルの「背面」とする。
【００６７】
変化部２０７では、オブジェクトの形態を変化させることができ、変化させる形態としては、オブジェクトの大きさ、オブジェクトの色彩などがある。
図５は、変化部２０７において、特定される指示面に対応してオブジェクトの大きさが変化される場合の対応関係を示す図である。尚、両面が指示面の場合には、前面の接触位置と背面の接触位置とオブジェクトの位置が所定の範囲内にあるという所定条件を満たしていることを前提とする。
図５に示すように、変化部２０７は、特定された指示面がタッチパネルの両面だった場合には、オブジェクトの大きさを、大きくする。特定された指示面がタッチパネルの前面だった場合には、オブジェクトの大きさを、中くらいとする。特定された指示面がタッチパネルの背面だった場合には、オブジェクトの大きさを、小さくする。
【００６８】
所定の条件が成立する場合には、オブジェクトが視認しにくくなっている。従って、オブジェクトの大きさを大きくすることでユーザにオブジェクトの位置を明確に示すことができる。
また、所定の条件が成立せずに、前面が指示面となっている場合には、指が表示画面上のオブジェクトに近い位置にあることが想定されるので、オブジェクトの大きさを中とする。
所定の条件が成立せずに、背面が指示面となっている場合には、オブジェクトとの距離は近いが、指は表示画面の背面にあるので、画面上のオブジェクトは視認しやすい状態となっている。従って、オブジェクトの大きさを小とする。
記憶部２０３は、オブジェクトの大きさが変化部２０７で変化させられる度に、オブジェクトの大きさを変更するように、記憶部のデータを更新する。
【００６９】
図６は、変化部２０７において、特定された指示面とオブジェクトの色彩との対応関係を示す図である。尚、本図においても、両面が指示面の場合には、前面の接触位置と背面の接触位置とオブジェクトの位置が所定の範囲内にあるという所定条件を満たしていることを前提とする。
図６に示すように、変化部２０７は、特定された指示面がタッチパネルの両面だった場合には、オブジェクトの色彩を、赤色とする。特定された指示面がタッチパネルの前面だった場合には、オブジェクトの色彩を、黄色とする。特定された指示面がタッチパネルの背面だった場合には、オブジェクトの色彩を、緑色とする。
【００７０】
所定の条件が成立している場合には、オブジェクトが見にくくなっているため、オブジェクトの色彩を赤色にして、ユーザにオブジェクトの位置を目立たせて示すことができる。
また、所定の条件が成立せずに、前面が指示面となっている場合には、オブジェクトとの距離が近く、指が表示画面上にあることが想定されるので、オブジェクトの色彩を黄色として、位置を明確にする。
所定の条件が成立せずに、背面が指示面となっている場合には、オブジェクトとの距離は近いが、指は表示画面の背面にあるので、オブジェクトは視認しやすい状態となっている。従って、オブジェクトの色彩は、比較的目立たない緑色とする。
記憶部２０３は、オブジェクトの色彩が変化部２０７で変化させられる度に、オブジェクトの色彩のデータを対応する色彩に変化するように、更新する。
【００７１】
尚、変化部２０７で変化されるオブジェクトの大きさ又はオブジェクトの色彩は、上述した例に限定されずさまざまな変形例を含む。
オブジェクトの大きさ又は色彩は、指示面が両面、前面、背面に応じて変化するのではなく、両面が指示面として特定された場合のみに大きくするあるいは目立つ色にすることも可能である。
【００７２】
（動作処理）
以上の構成を有する携帯型端末機１００の動作処理を、図９に示すフローチャートを用いて、動作処理の流れを説明する。
携帯型端末機１００は、電源が投入されると、初期化処理を経て処理が開始される。初期化処理では、情報処理の開始に必要な情報としてカートリッジ２００のＲＯＭ  ２０１に記憶されるプログラムが、ＲＡＭ  １５５に読み込まれる。
オブジェクトＡとオブジェクトＢの位置と形態は、記憶部２０３に記憶されているので、ＣＰＵ  １５１で記憶部２０３のデータを参照して、位置のデータと形態のデータを読み出す。
そして、読み出されたこれらのデータを元に、画像処理部１５２により処理された画像データは、ＬＣＤコントローラ１５６を介して画面１０６にオブジェクトの画像として表示される。
【００７３】
一方、ユーザによりタッチパネルの操作が開始されると、まず現在操作を受け付ける有効なタッチパネルが前面であるのか、背面であるのかが検知される（ステップＳ９０１）。
そして、検知部２０５によって、両面タッチパネルの前面及び背面の接触が検知される（ステップＳ９０２）。
【００７４】
両面タッチパネルの前面及び背面の接触を検知した場合、前回の接触が前面または背面または両面に接触しており、かつ今回の接触も前面または背面または両面に接触していたかが判断される（ステップＳ９０３）。すなわち、前回と今回の接触状態を検知したときに、どちらかの回も両面に接触していない状態、いわゆる解放状態があったか否かが判断される。
【００７５】
前回または今回の接触検知において、解放状態がなかったときには（ＹＥＳ；ステップＳ９０３）には、後述する図７及び図８に示すテーブルに従って、次の有効面が決定される。
前回または今回の接触検知において、解放状態があったときには（ＮＯ；ステップＳ９０３）には、図７及び図８のテーブルの適用はなく、現在の有効面のまま変化はない。
【００７６】
現在のタッチパネルの有効面がどちらであるのか、前回の接触状態と今回の接触状態がどちらのタッチパネルの面であるのかに応じて、次の操作が有効とされるタッチパネルの面が決定される。
具体的には、図７及び図８に記載されたテーブルに従って、次の操作が有効とされる面が決定される。
【００７７】
図７は、前回のタッチパネルへの接触状態が、前面か背面のどちらかである場合の次の操作の有効面を決定するための組合せを示すテーブル７００を示す図である。
テーブル７００は、前回の接触状態を示す欄７０１と、今回の接触状態を示す欄７０２と、現在の有効面を示す欄７０３と、次回の有効面を示す欄７０４から構成され、記憶部２０３に記憶されている。
【００７８】
テーブル７００は、現在の有効面が前面であるという前提で、前回の接触状態がタッチパネルの前面又は背面であったとき次の有効面の決定方法を示している。
すなわち、現在の有効面が前面で、前回の接触状態が前面、今回の接触状態が前面である場合には、次の有効面は前面となる。現在の有効面が前面で、前回の接触状態が前面、今回の接触状態が背面である場合には、次の有効面は前面となる。現在の有効面が前面で、前回の接触状態が前面、今回の接触状態が両面である場合には、次の有効面は前面となる。
【００７９】
現在の有効面が前面で、前回の接触状態が背面、今回の接触状態が前面である場合には、次の有効面は前面となる。現在の有効面が前面で、前回の接触状態が背面、今回の接触状態が背面である場合には、次の有効面は前面となる。現在の有効面が前面で、前回の接触状態が背面、今回の接触状態が両面である場合には、次の有効面は前面となる。
【００８０】
さらにテーブル７００においては、現在の有効面が背面であるという前提で、前回の接触状態がタッチパネルの前面又は背面であったときの次の有効面の決定方法を示している。
すなわち、現在の有効面が背面で、前回の接触状態が前面、今回の接触状態が前面である場合には、次の有効面は背面となる。現在の有効面が背面で、前回の接触状態が前面、今回の接触状態が背面である場合には、次の有効面は背面となる。現在の有効面が背面で、前回の接触状態が前面、今回の接触状態が両面である場合には、次の有効面は背面となる。
【００８１】
現在の有効面が背面で、前回の接触状態が背面、今回の接触状態が前面である場合には、次の有効面は背面となる。現在の有効面が背面で、前回の接触状態が背面、今回の接触状態が背面である場合には、次の有効面は背面となる。現在の有効面が背面面で、前回の接触状態が背面、今回の接触状態が両面である場合には、次の有効面は背面となる。
【００８２】
図８は、現在の有効面が前面又は背面である場合において、前回の接触状態が両面である場合の次の指示面の決定方法を示すテーブル８００を示す図である。
テーブル８００は、前回の接触状態を示す欄８０１と、今回の接触状態を示す欄８０２と、現在の有効面を示す欄８０３と、次回の有効面を示す欄８０４から構成され、記憶部２０３に記憶されている。
【００８３】
現在の有効面が前面であって、前回の接触状態が両面、今回の接触状態が前面である場合には、次の有効面は前面となる。現在の有効面が前面であって、前回の接触状態が両面、今回の接触状態が背面である場合には、次の有効面は背面となる。現在の有効面が前面であって、前回の接触状態が両面、今回の接触状態が両面である場合は、次の有効面は前面となる。
また、現在の有効面が背面であって、前回の接触状態が両面、今回の接触状態が前面である場合には、次の有効面は前面となる。現在の有効面が背面であって、前回の接触状態が両面、今回の接触状態が背面である場合は、背面が次の有効面となる。現在の有効面が背面であって、前回の接触状態が両面、今回の接触状態が両面である場合には背面が次の有効面となる。
【００８４】
以上のように、タッチパネルの有効面は、前回の接触状態が前面又は背面の片方のみである場合には、今回の接触状態によって、現在の有効面から次の有効面は切り替わることはない。
一方、前回の接触状態が両面である場合において、その後の今回の接触状態が前面か背面のどちらか一方に接触すると、接触したタッチパネルの側に有効面が切り替わることになる。
【００８５】
なお、テーブル８００において、前回の接触状態が両面である場合には、前面の接触位置と背面の接触位置と、オブジェクトの位置とが所定の範囲内にあることを前提としている。
【００８６】
図７及び図８のテーブル７００及び８００に基づいて、前回の接触面、今回接触面、及び現在の有効面がどちらであるかという条件から、次に入力が有効である有効面が決定される（ステップＳ９０４）。
そして、特定された指示面、すなわち接触面に従って指示位置を特定し（ステップＳ９０５）、変化部２０７により図５又は図６に基づいてオブジェクトの形態を変化させる（ステップＳ９０６）。
【００８７】
変化部２０７における形態の変化は、図５又は図６に示したように、所定の条件を満たした場合には、オブジェクトの大きさを変化対象として設定していれば、オブジェクトの大きさを大とし、オブジェクトの色彩を変化対象として設定していれば、オブジェクトを赤色に変化させる。
【００８８】
変化部２０７でオブジェクトの形態が変化された場合には、記憶部２０３に記憶された形態は変化された形態に更新される。
変化された形態で、記憶部２０３を更新した後には、表示部２０３は変化された形態でオブジェクトを画面１０６に表示する（ステップＳ９０７）。
そして、情報表示処理のその他の処理（ステップＳ９０８）を経て、上記の処理を繰り返す。
【００８９】
図５又は図６に示したように、背面を指示面として特定された場合には、オブジェクトの大きさを変化対象として設定していれば、オブジェクトの大きさを小とし、オブジェクトの色彩を変化対象として設定していれば、オブジェクトを緑色に変化させる。
【００９０】
また、前面をユーザの指示面として特定された場合には、図５又は図６に示したように、オブジェクトの大きさを変化対象として設定していれば、オブジェクトの大きさを中とし、オブジェクトの色彩を変化対象として設定していれば、オブジェクトを黄色に変化させる。
【００９１】
なお、前回または今回の接触で、両面のタッチパネルのいずれも接触しない状態、すなわち解放状態となった場合には、次の有効面を決定することない。そして、オブジェクトの大きさは、現在の有効面に応じた大きさを維持してもよいし、予め定められたデフォルトの大きさに戻してもよい。
【００９２】
本実施形態におけるより具体的な処理動作の流れを、図４、図１１〜１３の画面遷移図、及び図１０のテーブル１０００を参照して説明する。
図４に示すように、オブジェクトＡをオブジェクトＢの方向に前面の第１のタッチパネル１０７上で指を接触させて移動させる場合を説明する。
【００９３】
本実施形態においては、記憶部２０３内のデータは、図３に示すように、オブジェクトＡは、座標位置を（Ｘ１，Ｙ１）、形状を○としてして記憶されている。オブジェクトＢは座標位置（Ｘ２，Ｙ２）、形状を□として記憶されている。
この記憶されている情報に基づいて、オブジェクトＡ及びオブジェクトＢは表示部２０４により図４で示すように画面に表示される。このときにオブジェクトＡ及びオブジェクトＢの大きさは、デフォルトの大きさである「中」として記憶部２０３に記憶されており、この大きいで画面に表示される。
【００９４】
ユーザがオブジェクトＡを移動させる場合、ユーザはオブジェクトＡの上に例えば親指を置く。このとき、検知部２０５により、第１のタッチパネル１０７上の親指の位置が検知される。
具体的には、ユーザの親指がオブジェクトＡの上にある場合には、（１０，３０）という座標値として接触位置が特定され、これがユーザの指示位置としても特定される。
【００９５】
図１０のテーブル１０００は、ユーザの前面及び背面タッチパネル上の接触状態とその座標位置、第１のタッチパネル１０７（前面タッチパネル）と第２のタッチパネル１０８（背面タッチパネル）とオブジェクトＢの位置が所定範囲内にあるか否か、特定された指示面、オブジェクトの大きさを、検知時間の経過に沿って示したものである。
尚、本実施形態において、オブジェクトＢの座標位置は、（３０，３０）とし、移動しないものとする。
【００９６】
テーブル１０００において、検知時間（１００１）の項目は、垂直同期割込周期を単位とする整数値で表現したものである。
さらに、ユーザの指等がタッチパネルに接触したとき、第１のタッチパネル１０７に接触したことが検知されれば、「前面」と記憶され、第２のタッチパネル１０８に接触したことが検知されれば、「背面」と記憶される。
「接触面」（１００２）の項目には、「前面」に接触したことが検知された場合には、その座標位置情報を、「背面」に接触したことが検知された場合には、その座標位置情報が書き込まれる。
【００９７】
「所定範囲」（１００３）の項目は、前面の接触位置、背面の接触位置、及びオブジェクトＢの位置が所定の範囲内にあるか否かを示す項目である。
所定範囲は、例えば、半径２mmの円の中に上述の３つの位置が包含されている否かで判断され、包含されていない場合はフラグを０とし、包含されている場合にはフラグを１とする。
【００９８】
「特定された指示面」（１００４）の項目は、現在のユーザの指示する位置がどの面にあるかを記載する項目である。前面が有効な指示面である場合には「前面」と、背面が有効な指示面である場合には「背面」と、前面又は背面、又は両者の平均値が有効な指示位置として機能する場合には、「両面」と示される。
【００９９】
「オブジェクトの大きさ」（１００５）の項目は、指示面として特定された面に従ったオブジェクトの大きさを示す。前面が指示面として特定されれば、オブジェクトは「中」に、背面が指示面として決定されれば、「小」に、両面が指示面として決定されれば「大」にそれぞれ大きさが決定される。
【０１００】
テーブル１０００に示すように、経過時間１０００において、ユーザがオブジェクトＡ上に親指を接触すると、接触面は前面であり、第１のタッチパネル１０７（以下、「前面タッチパネル」という。）への接触位置の座標位置は（１０，３０）、第２のタッチパネル１０８（以下、「背面タッチパネル」という。）の座標位置は検出されない。
所定範囲をオブジェクトＢの中心から２mmの半径内と設定すると、所定範囲内には入らず、指示面は「前面」と特定され、オブジェクトの大きさは、記憶部２０３にデフォルトとして当初記憶された大きさである「中」となる。
【０１０１】
ユーザが第１のタッチパネル１０７上でかつオブジェクトＡ上に親指を接触させながら、オブジェクトＢの方向へ移動させていく。
経過時間１２００において、接触面は前面であり、前面タッチパネルの接触位置の座標位置は（１５，３０）、背面タッチパネルの座標位置は検出されない。この座標位置関係は所定範囲内には入らず、指示面は「前面」と特定され、オブジェクトの大きさは、記憶部２０３にデフォルトとして当初記憶された大きさである「中」となる。
【０１０２】
さらに経過時間１３００では、オブジェクトＡはさらにオブジェクトＢに近づき、背面のタッチパネルに、人差し指を接触させたとする。
このとき、接触面としては前面と背面が検知され、前面タッチパネルの接触の座標位置は（２０，３０）、背面タッチパネルの接触の座標位置は（２５，３０）となる。この座標位置関係は所定範囲内には入らず、指示面は「前面」と特定され、オブジェクトの大きさは、記憶部２０３にデフォルトとして当初記憶された大きさである「中」となる。
【０１０３】
経過時間１４００では、親指が前面タッチパネルに、人差し指が背面タッチパネルに接触しており、接触面は前面と背面が検知される。前面タッチパネルの接触の座標位置は（２８，３０）、背面タッチパネルの接触の座標位置は（３０，３０）となる。この座標位置関係は、所定範囲内に入り、指示面は「両面」であり、前面又は背面又はこれらの平均値の位置が指示位置となる。
【０１０４】
この時点で、ユーザの操作は所定条件を満たすことになるので、変化部２０７はオブジェクトの形態を変化、すなわちオブジェクトの大きさを「大」と変化させる。
それに伴い、記憶部２０３に当初記憶された大きさである「中」は「大」と変更される。図３のテーブル３００には、オブジェクトＢの大きさが、「中」から「大」に変更された後の記憶部２０３の状態が示されている。
そして、変更された大きさで、オブジェクトＢは表示される。
このように表示されることで、オブジェクトＢは、ユーザの指によって隠れることなく表示させることが可能であり、ユーザはオブジェクトＢを明確に認識することができる。
【０１０５】
経過時間１５００及び１６００では、背面タッチパネルから指が離れ、前面タッチパネルのみに指が接触している。この状態は図５に示すように、前回の接触状態が両面で、今回の接触状態が前面となった状態である。ユーザの操作が有効となる有効面は前面となる。
また、前面タッチパネルの接触の座標位置は（２５，２７）、背面タッチパネルの座標位置は検出されず、「前面」の位置が指示位置となる。このときの特定された指示面は前面となる。
従って、変化部２０７はオブジェクトの形態の変化、すなわちオブジェクトの大きさを「大」から「中」と変化させる。変化されたオブジェクトの形態は、記憶部２０３に記憶された大きさである「大」を「中」と変更する。
そして、変更された大きさで、オブジェクトＢは表示される。
尚、この時点では前面が有効面であるので、テーブル７００に示すように、背面のみに接触させても有効面が変更されることはない。
【０１０６】
経過時間１７００では、ユーザの指は、前面タッチパネルと、背面タッチパネルの両方に接触しているので、接触面としては、前面と背面が検知される。
前面タッチパネルの接触の座標位置は（２０，２５）、背面タッチパネルの接触の座標位置は（２５，３０）となるが、オブジェクトＢの位置と、ユーザの前面タッチパネルの接触位置と、背面タッチパネルの接触位置が所定の範囲内にないので、所定の条件は満たさず、「前面」の位置が指示位置となり、前面が特定された指示面となる。
変化部２０７はオブジェクトの形態の変化をさせないので、オブジェクトの大きさは「中」のままである。
【０１０７】
経過時間１８００では、ユーザの指は、前面タッチパネルと、背面タッチパネルに接触し、接触面としては、前面と背面が検知される。前面タッチパネルの接触の座標位置は（２８，３０）、背面タッチパネルの接触の座標位置は（３０，３０）となり、オブジェクトＢの位置と、前面タッチパネルの接触位置と、背面タッチパネルの接触位置が所定の範囲内にあるので、所定の条件を満たし、前面又は背面又は両方の平均値の位置をユーザの指示位置となり、特定された指示面は「両面」となる。
【０１０８】
この時点で、ユーザの操作は所定条件を満たすことになるので、変化部２０７はオブジェクトの形態を変化、すなわちオブジェクトの大きさを「中」から「大」とする。オブジェクトの形態が変更されることにより、記憶部２０３に当初記憶された大きさは、「中」から「大」と変更される。
そして、変更された大きさで、オブジェクトＢは表示される。
【０１０９】
経過時間１９００では、経過時間１８００で接触していた前面タッチパネルの接触を解除し、背面タッチパネルのみに接触している。この状態はテーブル８００に示すように、前回の接触状態が両面で、今回の接触状態が背面となった状態である。
従って、接触面としては、背面のみが検知され、前面タッチパネルの接触は検出されず、背面タッチパネルの接触の座標位置は（２５，３０）となるが、所定の条件は満たさず、「背面」位置が指示位置となり、背面が特定された指示面となる。
背面が特定された指示面となった場合には、変化部２０７はオブジェクトの形態を「大」から「小」に変化させて、記憶部２０３に記憶されるオブジェクトの大きさも「大」から「小」に更新される。
そして、変化された形態で、オブジェクトＢは画面に表示される。
尚、この時点で有効面は背面であり、前面に接触を切り替えても、テーブル７００に示すように前面に有効面が変更されることはない。
【０１１０】
経過時間２０００では、経過時間１９００と同様に、背面タッチパネルのみ接触しているので、背面のみが検知され、所定の条件は満たさないことになる。
従って、特定された指示面は背面のままであり、経過時間１９００と同様に、オブジェクトＢの大きさは「小」であり、記憶部２０３内のデータは変更されない。
【０１１１】
特定される指示面の変化に応じて、オブジェクトの大きさが変更される場合を説明したが、図６に示すように、オブジェクトの色彩を変更することも可能である。
すなわち、前面が指示面とさせた場合には、黄色、背面を指示面とされた場合には、緑、両面を指示面とされた場合には、赤と変更することも可能である。
【０１１２】
このように、本実施形態において、携帯型端末機は、ユーザのタッチパネルへの接触面とオブジェクトとの位置関係によって、オブジェクトの大きさを変更することができる。これにより、前面のみに接触している場合には、オブジェクトの大きさを中くらい、オブジェクトを挟み込むように両面から接触している場合には、オブジェクトを大きく表示することができる。
このようなオブジェクトの形態変更により、ユーザは自分の指により移動先のオブジェクトを隠さずに明確に認識することができる。
逆に、背面を指示面としている場合には、オブジェクトの画像は明確に認識できるので、オブジェクトは小さく表示するとともに、ユーザは、現在の指示面が背面であることも認識することができる。
【０１１３】
以上説明したオブジェクトの形態変化は、具体的には、図１１〜１３において示すように、画面に表示される。
図１１に示すように、ユーザの親指を前面の第１のタッチパネル１０７に接触させて、オブジェクトＡ（４０１）をオブジェクトＢ（４０２）に向けて移動させる。
表示した状態は、ユーザの親指が前面のみに接触しており、オブジェクトＢ（４０２）は、記憶部２０３にデフォルトとして記憶された大きさである中くらいとして表示されている。
尚、ユーザの指が第１のタッチパネル１０７及び第２のタッチパネル１０８の両面に接触して、所定条件を満たした後に、第２のタッチパネル１０８から接触を開放した場合もオブジェクトＢは同様に中くらいの大きさに表示される。
【０１１４】
図１２に示すように、親指を使用して第１のタッチパネル１０７上をオブジェクトＡ（４０１）をオブジェクトＢ（４０２）上に移動させた状態で、背面からオブジェクトＢを人差し指で挟むように接触させる。
このような位置関係に状態となると、所定の条件が満たされるので、オブジェクトＢ（４０２）は大きくなり、見やすい状態となる。
【０１１５】
その後、図１３に示すように、前面の第１のタッチパネル１０７上から親指を離し、背面の第２のタッチパネル１０８にのみ人差し指を接触している状態になると、オブジェクトＢ（４０２）は小さくなる。
背面の第２のタッチパネル１０８のみにユーザの指が接触している場合には、前面に指など視野を遮るものが存在しないので、オブジェクトＢを小さく表示しても構わない。
この状態では、第２のタッチパネル１０８のみが指示面となるので、ユーザは、背面からオブジェクトの指示操作を行うことになる。
【０１１６】
本実施形態においては、オブジェクトの形態であるオブジェクトの大きさ、色彩を、所定条件に応じて変化させることにより、ユーザの指により画面上のオブジェクトが障害になって見にくくなったりすることを防止することができる。  
更に、ユーザが指示している画面がどちらの画面なのかを、オブジェクトの大きさ、色彩により変化を付けて表示することができるので、ユーザが操作しやすい面で指示を行うことができる。
【０１１７】
また、本実施形態においては、オブジェクトの形態の変化として、オブジェクトの大きさ、色彩を、所定条件に応じて変化させることを説明したが、形態の変化は本実施形態に記載されたものに限定されない。
例えば、所定の条件を満たしたときに、挟んだ指の間からオブジェクトが出てくるような動作、例えば、枝豆がさやから出てくるような動きをさせることもできる。また、オブジェクトがキャラクタであった場合には、キャラクタの形態を変形するようにしてもよい。
【０１１８】
さらに、本実施形態においては、移動先のオブジェクトの形態を変化させる例を説明したが、形態を変化させるオブジェクトの対象は、移動先のオブジェクトには限定されない。
たとえば、移動させているオブジェクトの形態を変化させてもよいし、移動させているオブジェクト及び移動先のオブジェクトの双方の形態を変化させてよい。形態を変化させるオブジェクトは、携帯型端末機で扱うコンテンツに応じて適宜選択して採用することができる。
【０１１９】
本発明によれは、指で視認しずらくなったオブジェクトをオブジェクトの形態変化によって視認しやすくできるとともに、オブジェクトの形態変化により、指示面の切替が可能であることをユーザに視認させることになり、両面タッチパネルの操作性の向上を図ることができる。
特に、携帯用ゲーム装置においては、両面接触で指示面の切り替えが可能であることをオブジェクトの形態を変化させることで視認させることを行うことは、ゲーム演出を多様にすることができるとともに、操作性の幅あるいはゲーム仕様の幅を広げることを可能にする。
【産業上の利用可能性】
【０１２０】
以上説明したように、本発明によれば、画面の両面にタッチパネルを配置した情報表示装置において、両面のタッチパネルに対する接触動作により、画面上のオブジェクトの移動操作性を向上することができる情報表示装置、情報表示方法、ならびにこれらをコンピュータにて実現するプログラムを提供することができる。
【符号の説明】
【０１２１】
１００：携帯型端末機
１０１：無線通信部
１０２：通信コントローラ
１０３：サウンドアンプ
１０４：スピーカ
１０５：操作キー
１０６：画面
１０７：第１のタッチパネル
１０８：第２のタッチパネル
１１０：コネクタ
１５０：処理制御部
１５１：ＣＰＵ
１５２：画像処理部
１５３：音声処理部
１５４：ＲＯＭ
１５５：ＲＡＭ
１５６：ＬＣＤコントローラ
１５７：タッチパネルコントローラ
２００：カートリッジ
２０１：ＲＯＭ
２０２：ＲＡＭ
２０３：記憶部
２０４：表示部
２０５：検知部
２０６：処理部
２０７：変化部
３００：テーブル
３０１：オブジェクトの種類
３０２：オブジェクトの位置
３０３：オブジェクトの形状
３０４：オブジェクトの大きさ
４０１：オブジェクトＡ
４０２：オブジェクトＢ
７００：テーブル
７０１：前回の接触状態
７０２：今回の接触状態
７０３：現在の有効面
７０４：次回の有効面
８００：テーブル
８０１：前回の接触状態
８０２：今回の接触状態
８０３：現在の有効面
８０４：次回の有効面
１０００：テーブル
１００１：検知時間
１００２：接触面（座標位置）
１００３：所定範囲
１００４：特定された指示面
１００５：オブジェクトの大きさ
【図１】
0005272045.tif 000002
【図２】
0005272045.tif 000003
【図３】
0005272045.tif 000004
【図４】
0005272045.tif 000005
【図５】
0005272045.tif 000006
【図６】
0005272045.tif 000007
【図７】
0005272045.tif 000008
【図８】
0005272045.tif 000009
【図９】
0005272045.tif 000010
【図１０】
0005272045.tif 000011
【図１１】
0005272045.tif 000012
【図１２】
0005272045.tif 000013
【図１３】
0005272045.tif 000014